【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
第一の視点からの画像、第二の視点からの画像、及び前記第一の視点からの画像について１以上の視点間の依存の関係を示す依存情報にアクセスし、
前記依存情報に基づいて、前記第一の視点からの画像が前記第二の視点からの画像の参照画像であるかを判定するために構成される装置であって、
前記依存情報は、視点間の参照の指示及びｎａｌ＿ｒｅｆ＿ｉｄｃシンタックスエレメントを含み、前記視点間の参照の指示及びｎａｌ＿ｒｅｆ＿ｉｄｃシンタックスエレメントは、前記第一の視点からの画像が、視点間の参照にのみ使用されるか、時間参照に使用されるか、又は、視点間の参照と時間参照の両者のために使用されるかを判定するために結合される、
ことを特徴とする装置。
【請求項２】
当該装置はエンコーダを有し、
前記アクセスは、前記第一の視点からの画像、前記第二の視点からの画像をエンコードすること、及び前記依存情報をフォーマット化することを含む、
請求項１記載の装置。
【請求項３】
当該装置はデコーダを有し、
前記アクセスは、前記第一の視点からの画像、前記第二の視点からの画像及び前記依存情報を受信することを含む、
請求項１記載の装置。
【請求項４】
当該装置は、
第一の視点からの画像、第二の視点からの画像、及び前記第一の視点からの画像について１以上の視点間の依存関係を示す依存情報にアクセスする手段と、
前記依存情報に基づいて、前記第一の視点からの画像が前記第二の視点からの画像の参照画像であるかを判定する手段と、
を有する請求項１記載の装置。
【請求項５】
当該装置は、ビデオデータデコーダを有し、
前記ビデオデータデコーダは、前記アクセスする手段と、前記判定する手段とを有する、
請求項４記載の装置。
【請求項６】
第一の視点からの画像、第二の視点からの画像、及び前記第一の視点からの画像について１以上の視点間の依存関係を示す依存情報にアクセスするステップと、
前記依存情報に基づいて、前記第一の視点からの画像が前記第二の視点からの画像の参照画像であるかを判定するステップとを含む方法であって、
前記依存情報は、視点間の参照の指示及びｎａｌ＿ｒｅｆ＿ｉｄｃシンタックスエレメントを含み、前記視点間の参照の指示及びｎａｌ＿ｒｅｆ＿ｉｄｃシンタックスエレメントは、前記第一の視点からの画像が、視点間の参照にのみ使用されるか、時間参照に使用されるか、又は、視点間の参照と時間参照の両者のために使用されるかを判定するために結合される、
ことを特徴とする方法。
【請求項７】
前記判定するステップは、エンコーダにより実行される再構成プロセスの間に前記エンコーダにより実行される、
請求項６記載の方法。
【請求項８】
前記依存情報は、高水準のシンタックスエレメントを含み、
前記高水準のシンタックスエレメントは、シーケンスパラメータセットデータを含み、
前記第一の視点からの画像が参照画像であるかを判定するステップは、前記シーケンスパラメータセットデータを評価するステップを含む、
請求項６記載の方法。
【請求項９】
前記第一の視点からの画像の依存情報は、（１）前記第一の視点からの画像のアンカーリファレンスの数、（２）前記第一の視点からの画像のノンアンカーリファレンスの数、（３）前記第一の視点からの画像の前記アンカーリファレンスの視点の数、及び（４）前記第一の視点からの画像のノンアンカーリファレンスの視点の数、を示すシンタックスエレメントに含まれる、
請求項６記載の方法。
【請求項１０】
前記依存情報に基づいて、前記第一の視点からの画像がデコーダで未だデコードされていない別の視点からの画像の参照画像であるかを判定するステップを更に含む、
請求項６記載の方法。
【請求項１１】
前記第一の視点からの画像が、未だデコードされていない別の視点からの画像の参照画像ではないと判定され、
当該方法は、前記第一の視点からの画像を視点間の参照画像として必要とされないとして記録するステップを含む、
請求項１０記載の方法。
【請求項１２】
前記依存情報は、高水準のシンタックスエレメントを含み、
前記高水準のシンタックスエレメントは、Ｉｎｔｅｒｎａｔｉｏｎａｌ  Ｏｒｇａｎｉｚａｔｉｏｎ  ｏｆ  Ｓｔａｎｄａｒｄｉｚａｔｉｏｎ／Ｉｎｔｅｒｎａｔｉｏｎａｌ  Ｅｌｅｃｔｒｏｔｅｃｈｎｉｃａｌ  Ｃｏｍｍｉｓｓｉｏｎ  Ｍｏｖｉｎｇ  Ｐｉｃｔｕｒｅ  Ｅｘｐｅｒｔｓ  Ｇｒｏｕｐ−４  Ｐａｒｔ  １０  Ａｄｖａｎｃｅｄ  Ｖｉｄｅｏ  Ｃｏｄｉｎｇ  ｓｔａｎｄａｒｄ／Ｉｎｔｅｒｎａｔｉｏｎａｌ  Ｔｅｌｅｃｏｍｍｕｎｉｃａｔｉｏｎ  Ｕｎｉｏｎ，  Ｔｅｌｅｃｏｍｍｕｎｉｃａｔｉｏｎ  Ｓｅｃｔｏｒ  Ｈ．２６４  ｒｅｃｏｍｍｅｎｄａｔｉｏｎの拡張における既存の高水準のシンタックスエレメントである、
請求項６記載の方法。
【請求項１３】
コンピュータに、第一の視点からの画像、第二の視点からの画像、及び前記第一の視点からの画像について１以上の視点間の依存関係を示す依存情報にアクセスし、前記依存情報に基づいて、前記第一の視点からの画像が前記第二の視点からの画像の参照画像であるかを判定する、処理を実行させるための命令を含むプログラムを記憶したコンピュータ読み取り可能な記録媒体であって、
前記依存情報は、視点間の参照の指示及びｎａｌ＿ｒｅｆ＿ｉｄｃシンタックスエレメントを含み、前記視点間の参照の指示及びｎａｌ＿ｒｅｆ＿ｉｄｃシンタックスエレメントは、前記第一の視点からの画像が、視点間の参照にのみ使用されるか、時間参照に使用されるか、又は、視点間の参照と時間参照の両者のために使用されるかを判定するために結合される、
ことを特徴とするコンピュータ読み取り可能な記録媒体。
【請求項１４】
高水準のシンタックスにアクセスし、前記高水準のシンタックスに基づいて、第一の視点からの画像について１以上の視点間の依存関係を示す依存情報を生成する高水準シンタックスリーダと、
前記高水準シンタックスリーダに結合されるビデオデータデコーダであって、前記依存情報を受信し、前記第一の視点からの画像にアクセスし、第二の視点からの画像にアクセスし、前記依存情報に基づいて、前記第一の視点からの画像が前記第二の視点からの画像の参照画像であるかを判定するビデオデータデコーダとを有する装置であって、
前記依存情報は、視点間の参照の指示及びｎａｌ＿ｒｅｆ＿ｉｄｃシンタックスエレメントを含み、前記視点間の参照の指示及びｎａｌ＿ｒｅｆ＿ｉｄｃシンタックスエレメントは、前記第一の視点からの画像が、視点間の参照にのみ使用されるか、時間参照に使用されるか、又は、視点間の参照と時間参照の両者のために使用されるかを判定するために結合される、
ことを特徴とする装置。
【請求項１５】
前記高水準シンタックスリーダに結合される高水準シンタックスジェネレータを更に有し、
前記高水準シンタックスジェネレータは、前記依存情報に基づいて前記高水準のシンタックスを生成する、
請求項１４記載の装置。
【請求項１６】
前記ビデオデータデコーダに結合されるビデオデータエンコーダを更に有し、
前記ビデオデータエンコーダは、前記依存情報に基づいて前記第一の視点からの画像をエンコードする、
請求項１４記載の装置。
【請求項１７】
前記ビデオデータデコーダに結合されるビデオデータエンコーダを更に有し、
前記ビデオデータエンコーダは、前記依存情報に基づいて前記第一の視点からの画像をエンコードする、
請求項１５記載の装置。